【事件の表示】
　平成　３年特許願第１５２８１８号「リレー」拒絶査定に対する審判事件［平成　６年　９月１６日出願公開、特開平　６−２６００７１］について、次のとおり審決する。
【結　論】
　本件審判の請求は、成り立たない。
【理　由】
１． 手続の経緯・本願発明
　本願は、平成３年６月２５日の出願であって、その請求項１に係る発明（以下、「本願発明」という。）は、平成１３年１２月３日付けの手続補正書により補正された明細書及び図面からみて、特許請求の範囲の請求項１に記載された次のとおりのものと認める。
「コイルの励磁，逆励磁によりコイルを巻装した鉄心の磁極面に吸引されるアマチュアと、アマチュアと磁気的結合を図るヨークと、２つの主接点部と、アマチュアが鉄心の磁極面に吸引されることにより２つの主接点部を開閉駆動する駆動手段とを備え、上記ヨークを略Ｌ型に形成し、該ヨークの一片と鉄心とを連結して略Ｔ字型の電磁石部を構成し、ヨークの他片をコイルの下面に配設し、上記電磁石部の両側に主接点部を夫々配設するとともに、各主接点部は、開成又は閉成する固定接点および可動接点と、可動接点が配設される板バネと、板バネと並列に接続する編組導線とを備え、駆動手段は、アマチュアが鉄心の磁極面に吸引されることにより回動し、回動方向の両端部に各主接点部の板バネを保持する可動枠を備えて、各主接点部の固定接点が可動接点に対してそれぞれ可動枠の回動方向の同じ向きに配置されることで、一方の主接点部を開成したときには他方の主接点部も開成し、一方の主接点部を閉成したときには他方の主接点部も閉成するリレーにおいて、上記両主接点部を夫々の板バネが上記可動枠の回動によってバネ付勢方向とは逆方向に押動されたときに閉成するフレクシャー型とするとともに、一方の主接点部の外側に補助接点部を設け、この補助接点部が、上記可動枠が上記の両主接点部を開成する方向の回動時に上記可動枠の一部で押し駆動される板バネと、該板バネに備えられた可動接点と、該可動接点に対して対向配置され、上記板バネが上記可動枠により押し駆動されたときに上記可動接点が開離し、上記可動枠による押し駆動力が解除されて上記板バネが復帰したときに上記可動接点が接触する固定接点とからなるリフトオフ型の接点部により構成されていることを特徴とするリレー。」
２． 当審の拒絶理由
　当審において平成１３年９月２７日付けで通知した拒絶の理由の概要は、本願発明は、本願出願前頒布された「特開平２−１１４４１９号公報」（以下、「引用例１」という。）及び「実願昭５８-１０２０５４号（実開昭６０-１０２５５号）のマイクロフィルム」（以下、「引用例２」という。）に記載された発明に基いて当業者が容易に発明することができたものであるから、特許法第２９条第２項の規定により特許を受けることができない、というものである。
３． 引用発明
（引用例１）
　引用例１には、以下のように記載されている。
（イ）「コイルの励磁、非励磁により接点を開閉して負荷を制御するリレーにおいて、固定接点に対向する可動接点と、この可動接点を一端に固着した板バネと、この板バネの他端に固着され板バネを取り付ける端子とを有し、上記可動接点と端子間に板バネと並列に可撓性導体を接続したことを特徴とするリレーの接点装置。」（第１頁左下欄第５〜１１行）
（ロ）「板バネ１４と導体板１６とを可動接点１５で同時にかしめて固着している。…そして、導体板１６の下部と端子板１３の中央部分との間に板バネ１４と平行して可撓性の編組導線１８をスポット溶接して接続している。…導電性の端子板１９の上端部には可動接点１５と相対する固定接点２０が固着され、」（第３頁左上欄第１２〜２０行）
（ハ）「主接点ブロックＢとは反対側に配置される補助接点ブロックＣは以下のように構成されている。すなわち、…補助端子板２２の上端部には固定接点２３を固着し、この固定接点２３を相対する可動接点２６を先端に固着した板バネ２５の基部は補助端子板２４の上端部に固着されている。」（第３頁右上欄第２〜８行）
（ニ）「主接点ブロックＢと補助接点ブロックＣとの間のベース１１の上面中央に配置されるコイルブロックＡについて説明する。Ｌ型に折曲されたヨーク２７の一片には四角状の穴２７ａが穿設され、他片の両端部から磁極片２８が夫々対向して立設してある。…鉄心２９がヨーク２７に固定される。鉄心２９の端部はコイル枠３１より出ていて、両側面を磁極面３０としている。コイル枠３１の外周面にはコイル３２が巻装され、…鍔部３３の上面に突台３３ａが形成されており、この突台３３ａに上面開口で円形の軸穴３５が形成してある。
　コイルブロックＡの上方に配置される可動ブロックＤは、可動枠３６、２枚のアマチュア３７及び永久磁石３８等から構成されている。絶縁体からなる可動枠３６の一端には回動軸４０が垂設されていて、この回動軸４０がコイル枠３１の軸穴３５に軸支されて、可動枠３６が回動可能となっている。可動枠３６の他端の下面には第３図に示すように永久磁石３８を挟持した２枚のアマチュア３７が配置されて固着され、可動枠３６の一方の側部から坂バネ１４を駆動する腕部４１が形成されている。…腕部４１は、第１図及び第３図に示すように隙間をあけて突部４２、４３が斜めに形成してあり、両突部４２、４３間のスリット４４に板バネ１４を配設している。」（第３頁右上欄第１１行〜右下欄第１行）
（ホ）「セット端子３４ｂと共通端子３４ａに電圧を印可すると、コイル３２が励磁されて一方のアマチュア３７ｂは鉄心２９の磁極面３０に、また、他方のアマチュア３７ａは磁極片２８に夫々吸引されて、可動枠３６は回動軸４０を軸として時計方向に回動し、第４図に示すようなオン状態となる。つまり、可動枠３６が時計方向に回動することで、腕部４１にて主接点ブロックＢの板バネ１４を付勢して両端子１５、２０を閉成し、また、突起４５が板バネ２５より離れて、板バネ２５自体の復帰力にて復帰することで、両端子２３、２６が閉成する。この第４図の状態で、リセット端子３４ｃと共通端子３４ａに電圧を印加すると、第３図の状態に復帰することになる。」（第４頁左上欄第１７行〜右上欄第１１行）
（ヘ）「主接点側がフレクシャーで、補助接点側がリフトオフタイプとなっている」（第４頁左下欄第１２〜１４行）
　また、コイルブロックＡが略Ｔ字型を呈していることは、第２〜４図に、ヨーク２７の他片がコイルの下面に配設されることは、第１図に、それぞれ記載されている。
　これら（イ）〜（ヘ）の記載及び第１〜４図の記載を総合すると、引用例１には、次の発明（以下、「引用発明１」という。）が記載されているものと認められる。
「コイル３２の励磁、非励磁によりコイル３２を巻装した鉄心２９の磁極面に吸引されるアマチュア３７と、アマチュア３７と磁気的結合を図るヨーク２７と、主接点ブロックＢと、アマチュア３７が鉄心２９の磁極面に吸引されることにより主接点ブロックＢを開閉駆動する可動ブロックＤとを備え、上記ヨーク２７を略Ｌ型に形成し、該ヨーク２７の一片と鉄心２９とを連結して略Ｔ字型のコイルブロックＡを構成し、ヨーク２７の他片をコイル３２の下面に配設し、上記コイルブロックＡの一側に主接点ブロックＢを配設するとともに、主接点ブロックＢは、開成又は閉成する固定接点２０および可動接点１５と、可動接点１５が配設される板バネ１４と、板バネ１４と並列に接続する編組導線１８とを備え、可動ブロックＤは、アマチュア３７が鉄心２９の磁極面３０に吸引されることにより回動し、回動方向の端部に主接点ブロックＢの板バネ１４を保持する可動枠３６を備えて、主接点ブロックＢの固定接点２０が可動接点１５に対して可動枠３６の回動方向に配置されたリレーにおいて、上記主接点ブロックＢを板バネ１４が上記可動枠３６の回動によってバネ付勢方向とは逆方向に押動されたときに閉成するフレクシャー型とするとともに、補助接点ブロックＣを設け、この補助接点ブロックＣが、上記可動枠３６が上記の主接点ブロックＢを開成する方向の回動時に上記可動枠３６の一部で押し駆動される板バネ２５と、該板バネ２５に備えられた可動接点２６と、該可動接点２６に対して対向配置され、上記板バネ２５が上記可動枠３６により押し駆動されたときに上記可動接点２６が開離し、上記可動枠３６による押し駆動力が解除されて上記板バネ２５が復帰したときに上記可動接点２６が接触する固定接点２３とからなるリフトオフ型の接点部により構成されていることを特徴とするリレー。」
（引用例２）
引用例２には次の記載が認められる。
（イ）「Ｅ字型ヨークの中央片に励磁コイルを巻装して形成された電磁ブロックと、永久磁石の両端にＩ字型ヨークが取着され中央に向ってはね付勢されたスライド自在なコ字型アーマチュアとよりなり、Ｅ字型ヨークの中央片と両側片との間にそれぞれアーマチュアの両Ｉ字型ヨークが位置するように電磁ブロツクおよびアーマチュアを配設し、電磁ブロックを直流励磁することによりアーマチュアをばね付勢力に抗して所定方向に駆動せしめ、励磁位置の永久磁石によるアーマチュアの吸引ラッチ力よりもばね付勢力が大きくかつ非励磁時に永久磁石による吸引ラッチ力にてアーマチュアをばね付勢力に抗して非励磁位置にラッチするように励磁位置および非励磁位置における永久磁石を含む磁気回路の磁気抵抗を非対称にして成る有極電磁石装置。」（明細書第１頁５行〜第２頁１行）
（ロ）「第４図乃至第８図は上記有極電磁石を用いて形成される有極リレーを示す図であり、アーマチュア（７）には接点（８）を駆動する駆動突部（９ａ）（９ｂ）が両側に突設されたコ字状の合成樹脂成形体（１０）が包み込むように被嵌されており、駆動突部（９ａ）（９ｂ）がＥ字型ヨーク（１）の両側片（２ｂ）（２ｃ）に穿設されたガイド用切欠（１１ｂ）（１１ｃ）にスライド自在に係合されることにより、アーマチュア（７）がＸ方向にスライド自在に保持されている。」（同第６頁第４〜１２行）
　また、第４図には、固定接点（８ｂ）が同一方向（図で接点（８）の下方向）に向いて設けられることが記載されていると認められる。
　これらの記載を総合すると、引用例２には次の発明（以下、「引用発明２」という。）が記載されているものと認められる。
「リレーにおいて、電磁石部の両側に、可動接点に対してそれぞれ可動枠の回動方向の同じ向きに配置された固定接点を有する接点部を夫々配設すること。」
４． 対比
　本願発明と引用発明１とを対比すると、後者における「主接点ブロックＢ」は、前者における「主接点部」に、「可動ブロックＤ」は、「駆動手段」に、「コイルブロックＡ」は、「電磁石部」に、また、「補助接点ブロックＣ」は、「補助接点部」に、それぞれ、その機能、構造からみて相当するものである。
　したがって、両者は、
「コイルの励磁、逆励磁によりコイルを巻装した鉄心の磁極面に吸引されるアマチュアと、アマチュアと磁気的結合を図るヨークと、主接点部と、アマチュアが鉄心の磁極面に吸引されることにより主接点部を開閉駆動する駆動手段とを備え、上記ヨークを略Ｌ型に形成し、該ヨークの一片と鉄心とを連結して略Ｔ字型の電磁石部を構成し、ヨークの他片をコイルの下面に配設し、上記電磁石部の側部に主接点部を配設するとともに、主接点部は、開成又は閉成する固定接点および可動接点と、可動接点が配設される板バネと、板バネと並列に接続する編組導線とを備え、駆動手段は、アマチュアが鉄心の磁極面に吸引されることにより回動し、回動方向の端部に主接点部の板バネを保持する可動枠を備えて、主接点部の固定接点が可動接点に対して可動枠の回動方向に配置されたリレーにおいて、上記主接点部を板バネが上記可動枠の回動によってバネ付勢方向とは逆方向に押動されたときに閉成するフレクシャー型とするとともに、補助接点部を設け、この補助接点部が、上記可動枠が上記の主接点部を開成する方向の回動時に上記可動枠の一部で押し駆動される板バネと、該板バネに備えられた可動接点と、該可動接点に対して対向配置され、上記板バネが上記可動枠により押し駆動されたときに上記可動接点が開離し、上記可動枠による押し駆動力が解除されて上記板バネが復帰したときに上記可動接点が接触する固定接点とからなるリフトオフ型の接点部により構成されていることを特徴とするリレー。」である点で一致し、以下の点で相違している。
（１）本件発明においては、フレクシャー型の主接点部の配設に関して「電磁石部の両側」（主接点部は２つ）とし、各主接点部の固定接点を、「可動接点に対してそれぞれ可動枠の回動方向の同じ向きに配置」することで、「一方の主接点部を開成したときには他方の主接点部も開成し、一方の主接点部を閉成したときには他方の主接点部も閉成する」ようにしているのに対し、引用発明１においては、フレクシャー型の主接点部の配設に関して「電磁石部の一側」（主接点部は１つ）としている点
５． 当審の判断
　電磁石部の両側に接点部を配置し、一方の主接点部を開成したときには他方の主接点部も開成し、一方の主接点部を閉成したときには他方の主接点部も閉成するようにすることは、引用発明２が開示するところであるし、そもそも、接点部をいくつ設けるかは、当業者が必要に応じて設計できることであるから、引用発明１において、引用発明２が開示するところに従い、主接点部を電磁石部の両側に配設する（主接点部を２つとする）ことは、当業者ならば容易に想到し得ることと言うべきである。そして、接点部として、フレクシャー型とリフトオフ型が存在することは、本願出願前周知のことであり、２つの接点部を設ける際にいずれの型を組み合わせるかは当業者が適宜選択できることである。してみると、本願発明において、２つの主接点部を、「可動接点に対してそれぞれ可動枠の回動方向の同じ向きに配置」したフレクシャー型とした点には格別の技術的意義は見出せない。（なお、電磁石部の両側に２つの接点部を配設し、これらを同一の型とすることは、例えば、「実願昭５７-１０４６４３号（実開昭５９−９４５７号）のマイクロフィルム」に記載されているように、リレーの分野において普通に知られていることである。）
　また、上記相違点により、当業者の予測し難い効果が奏されているとは認められない。
６． むすび
　したがって、本願発明は、引用発明１及び引用発明２に基いて当業者が容易に発明をすることができたものであるので、特許法第２９条第２項の規定により特許を受けることができない。
 よって、結論のとおり審決する。